(57)【要約】【課題】光学プラットフォームの構造と製作プロセスを簡素化し、かつ光ファイバに対する光配向精度の向上と製作コストの低下をさせる高解析度マルチメディアインタフェースを持つ光トランシーバを提供する。【解決手段】光学プラットフォーム１０は表面１０ａ及び表面に凹む第１溝１１と第２溝１２を有する。発光器２０は発光面２０ａを有する。第１光ファイバアセンブリ３０は光学プラットフォームの第１溝に設置され、第１溝に固定される第１スリーブ３１と第１スリーブを通して設置され、且つ発光面に照準をする第１光ファイバ３２を含む。光検出器４０は受光面４０ａを有する。第２光ファイバアセンブリ５０は光学プラットフォームの第２溝に設置され、第２溝に固定される第２スリーブ５１と第２スリーブを通して設置され、且つ受光面に照準をする第２光ファイバ５２を含む。【選択図】  図１
2011059319.tif 000002
【特許請求の範囲】
【請求項１】
光学プラットフォーム、発光器、第１光ファイバアセンブリ、光検出器、及び第２光ファイバアセンブリを含む光トランシーバであって、
前記光学プラットフォームは、表面及び表面に凹む第１溝と第２溝とを有し、
前記発光器は、光学プラットフォームの上に設置され、発光面を有し、
前記第１光ファイバアセンブリは、光学プラットフォームの第１溝に設置され、第１溝に固定され、第１中空部を有する第１スリーブと第１端部を有する第１光ファイバとを含み、第１光ファイバの第１端部は第１スリーブの第１中空部を通して設置され、且つ発光器の発光面に照準し、
前記光検出器は、光学プラットフォームの上に設置されて受光面を有し、
前記第２光ファイバアセンブリは、光学プラットフォームの第２溝に設置され、第２溝に固定され、第２中空部を有する第２スリーブと第２端部を有する第２光ファイバとを含み、第２光ファイバの第２端部は第２スリーブの第２中空部を通して設置され、且つ光検出器の受光面に照準することを特徴とする高解析度マルチメディアインタフェースを持つ光トランシーバ。
【請求項２】
前記第１溝と第２溝はそれぞれ第１溝壁と第２溝壁を有し、第１スリーブと第２スリーブはそれぞれ第１溝壁と第２溝壁に当接することを特徴とする請求項１記載の高解析度マルチメディアインタフェースを持つ光トランシーバ。
【請求項３】
前記第１溝と第２溝はそれぞれ第１底部と第２底部を有し、第１スリーブと第２スリーブはそれぞれ第１底部と第２底部に当接することを特徴とする請求項１記載の高解析度マルチメディアインタフェースを持つ光トランシーバ。
【請求項４】
前記第１スリーブは第１半径を有し、前記第１溝は第１深度を有し、第１スリーブの第１半径は第１溝の第１深度より大きくなることを特徴とする請求項１記載の高解析度マルチメディアインタフェースを持つ光トランシーバ。
【請求項５】
前記第２スリーブは第２半径を有し、前記第２溝は第２深度を有し、第２スリーブの第２半径は第２溝の第２深度より大きくなることを特徴とする請求項１記載の高解析度マルチメディアインタフェースを持つ光トランシーバ。
【請求項６】
前記第１スリーブは発光器に向かう第１端面を有し、前記第１光ファイバの第１端部は第１端平面を有し、第１端平面は第１スリーブの第１端面に突出しないことを特徴とする請求項１記載の高解析度マルチメディアインタフェースを持つ光トランシーバ。
【請求項７】
前記第２スリーブは光検出器に向かう第２端面を有し、前記第２光ファイバの第２端部は第２端平面を有し、第２端平面は第２スリーブの第２端面に突出しないことを特徴とする請求項１記載の高解析度マルチメディアインタフェースを持つ光トランシーバ。
【請求項８】
さらに電気アダプタを含み、この電気アダプタは前記光学プラットフォームの表面に固定され、前記光検出器は電気アダプタの上に固定されることを特徴とする請求項１記載の高解析度マルチメディアインタフェースを持つ光トランシーバ。
【発明の詳細な説明】
【技術分野】
【０００１】
本発明は、一種の光トランシーバに関し、特に高解析度マルチメディアインタフェースを持つ光トランシーバに関するものである。
【背景技術】
【０００２】
従来の高解析度マルチメディアインタフェースを持つ光トランシーバには、光学プラットフォームの上で光ファイバと発光器との光配向、或は光ファイバと光検出器との光配向を実施するなら、光学プラットフォームの上にＶ字状溝を形成して光ファイバを置くことが必要である。
【発明の概要】
【発明が解決しようとする課題】
【０００３】
しかしながら、Ｖ字状溝に置かれる光ファイバの中心位置は常に光学プラットフォームの表面に接近し、光学プラットフォームの上に設置される発光器と光検出器と比べ、かなり低くなり高精度な光配向が実施されることができない。このような問題を解決する従来の方法としては、光学プラットフォームの上にさらに光配向スロットを形成して発光器と光検出器を光配向スロットに設置し、そして、光配向スロットの深度をコントロールすることにより発光器の発光位置と光検出器の受光位置をそれぞれ調整して光ファイバとの間の高精度光配向が可能となる。このように、光学プラットフォームの上に異なる幾何図形と深度を有するＶ字状溝と光配向スロットを形成した場合、光学プラットフォームの製作プロセスを複雑にさせることだけではなく、製作コストも大幅に増加することとなる。
【０００４】
本発明は、上記問題点を解消する為に成されたものであり、高解析度マルチメディアインタフェースを持つ光トランシーバを提供する事を目的とするものである。
【課題を解決するための手段】
【０００５】
本発明の高解析度マルチメディアインタフェースを持つ光トランシーバは、光学プラットフォーム、光学プラットフォームの上に設置する少なくとも１つの発光器、少なくとも１つの第１光ファイバアセンブリ、光学プラットフォームの上に設置する少なくとも一つの光検出器及び少なくとも１つの第２光ファイバアセンブリを含む。光学プラットフォームは表面及び表面に凹む少なくとも１つの第１溝と少なくとも１つの第２溝を有する。発光器は発光面を有する。第１光ファイバアセンブリは光学プラットフォームの第１溝に設置され、第１溝に固定される第１スリーブと第１スリーブとを通して設置され、且つ発光面に照準する第１光ファイバを含む。光検出器は受光面を有する。第２光ファイバアセンブリは光学プラットフォームの第２溝に設置され、第２溝に固定される第２スリーブと第２スリーブを通して設置され、且つ受光面に照準する第２光ファイバを含む。本発明には、第１スリーブと第２スリーブを利用して第１光ファイバと第２光ファイバの光配向高度をそれぞれ増加させることにより、光学プラットフォームの構造と製作プロセスが簡素化されることができ、光ファイバに対する光配向精度の向上及び製作コストの低下などの効果がある。
【図面の簡単な説明】
【０００６】
【図１】本発明の一実施形態による一種の高解析度マルチメディアインタフェースを持つ光トランシーバの構成を示す図である。
【図２】本発明の一実施形態の高解析度マルチメディアインタフェースを持つ光トランシーバの右側を示す図である。
【図３】本発明の一実施形態の高解析度マルチメディアインタフェースを持つ光トランシーバの後方を示す図である。
【図４】本発明の一実施形態の高解析度マルチメディアインタフェースを持つ光トランシーバの前方を示す図である。
【発明を実施するための形態】
【０００７】
図１と２に示したものは、本発明の高解析度マルチメディアインタフェースを持つ光トランシーバの一実施形態を開示したものであり、このような高解析度マルチメディアインタフェースを持つ光トランシーバは、光学プラットフォーム１０、光学プラットフォーム１０の上に設置する少なくとも１つの発光器２０、少なくとも1つの第１光ファイバアセンブリ３０、光学プラットフォーム１０の上に設置する少なくとも一つの光検出器４０及び少なくとも１つの第２光ファイバアセンブリ５０を含む。光学プラットフォーム１０は表面１０ａ及び表面１０ａに凹む少なくとも１つの第１溝１１と少なくとも１つの第２溝１２を有する。第１溝１１は第１溝壁１１ａ、第１底部１１ｂと第１深度Ｄ１を有し、第２溝１２は第２溝壁１２ａ、第２底部１２ｂと第２深度Ｄ２を有する。
【０００８】
図１、２と３に示すよう、発光器２０は光学プラットフォーム１０の表面１０ａに固定されて発光面２０ａを有する。第１光ファイバアセンブリ３０は光学プラットフォーム１０の第１溝１１に設置され、第１溝１１に固定される第１スリーブ３１と第１光ファイバ３２を含む。
【０００９】
ここで、第１スリーブ３１は第１溝１１の第１溝壁１１ａと第１底部１１ｂに当接し、発光器２０に向かう第１端面３１ａ、第１中空部３１１と第１半径Ｒ１を有する。第１スリーブ３１の第１半径Ｒ１は第１溝１１の第１深度Ｄ１より大きくなるのが好ましい。第１光ファイバ３２は第１端部３２１を有し、この第１端部３２１は第１スリーブ３１の第１中空部３１１を通して設置され、且つ発光器２０の発光面２０ａに照準させる。また、第１光ファイバ３２の第１端部３２１は第１端平面３２１ａを有し、この第１端平面３２１ａは第１スリーブ３１の第１端面３１ａに突出しなく、さらに一列並べば好ましい。一方、第１光ファイバ３２と発光器２０との間の光結合効率を高めるため、第１光ファイバ３２としてマルチモード光ファイバが採用される。
【００１０】
図１、２と４に示すよう、本実施例の高解析度マルチメディアインタフェースを持つ光トランシーバはさらに電気アダプタ６０を含み、この電気アダプタ６０は光学プラットフォーム１０の表面１０ａに固定される。光検出器４０は電気アダプタ６０の上に固定されて受光面４０ａを有する。第２光ファイバアセンブリ５０は光学プラットフォーム１０の第２溝１２に設置され、第２溝１２に固定される第２スリーブ５１と第２光ファイバ５２を含む。
【００１１】
ここで、第２スリーブ５１は第２溝１２の第２溝壁１２ａと第２底部１２ｂに当接し、光検出器４０に向かう第２端面５１ａ、第２中空部５１１と第２半径Ｒ２を有する。第２スリーブ５１の第２半径Ｒ２は第２溝１２の第２深度Ｄ２より大きくなるのが好ましい。第２光ファイバ５２は第２端部５２１を有し、この第２端部５２１は第２スリーブ５１の第２中空部５１１を通して設置され、且つ光検出器４０の受光面４０ａに照準させる。
【００１２】
また、第２光ファイバ５２の第２端部５２１は第２端平面５２１ａを有し、この第２端平面５２１ａは第２スリーブ５１の第２端面５１ａに突出しなく、さらに一列並べば好ましい。また、第１光ファイバ３２と同様に、第２光ファイバ５２もマルチモード光ファイバを採用する。
【００１３】
上述したように、本発明によれば、第１スリーブ３１と第２スリーブ５１を利用して第１光ファイバ３２と第２光ファイバ５２の光配向高度をそれぞれ増加させることにより、第１光ファイバ３２と発光器２０、及び第２光ファイバ５２と光検出器４０にはそれぞれ高精度な光配向が可能となることで、光学プラットフォーム１０の構造と製作プロセスが簡素化されることができ、光ファイバに対する光配向精度の向上及び製作コストの低下などの効果がある。
【００１４】
以上、本考案をその好適な実施例に基づいて説明したが、本考案の保護範囲は実用新案登録請求の範囲に限定されるものであり、この保護範囲を基準として、本考案の精神と範囲内に触れるどんな変更や修正も本考案の保護範囲に属する。
【符号の説明】
【００１５】
１０：光学プラットフォーム、１０ａ：表面、１１：第１溝、１１ａ：第１溝壁、１１ｂ：第１底部、１２：第２溝、１２ａ：第２溝壁、１２ｂ：第２底部、２０：発光器、２０ａ：発光面、３０：第１光ファイバアセンブリ、３１：第１スリーブ、３１ａ：第１端面、３１１：第１中空部、３２：第１光ファイバ、３２１：第１端部、３２１ａ：第１端平面、４０：光検出器、４０ａ：受光面、５０：第２光ファイバアセンブリ、５１：第２スリーブ、５１ａ：第２端面、５１１：第２中空部、５２：第２光ファイバ、５２１：第２端部、５２１ａ：第２端平面、６０：電気アダプタ、Ｄ１：第１深度、Ｄ２：第２深度、Ｒ１：第１半径、Ｒ２：第２半径。
【図１】
2011059319.tif 000003
【図２】
2011059319.tif 000004
【図３】
2011059319.tif 000005
【図４】
2011059319.tif 000006